(57)【特許請求の範囲】
【請求項１】
箸を挿入保持する貫通孔と鉄を有する箸ホルダーと、前記鉄とは別体の机の天板裏に設けられた磁石板又は磁石シートを有する保持具とを備え、前記磁石板又は磁石シートに前記鉄を仮固定してなることを特徴とする箸保持用具。
【請求項２】
管状体の両側面に指かけ用の窪み部が形成された事を特徴とする請求項１に記載の箸保持用具。
【請求項３】
貫通孔がテーパー形状を有している請求項１又は２に記載の箸保持用具。
【発明の詳細な説明】
【技術分野】
【０００１】
箸を保持する用具に関する。
【背景技術】
【０００２】
箸の保持用として、壁面の磁石に、鉄部を有する箸を仮固定する構造、磁石を埋め込んだ箸、箸に磁石付きのキャップをかぶせる構造が知られている。
【先行技術文献】
【特許文献】
【０００３】
【特許文献１】特開２００９−２４０７４４
【特許文献２】３１４６２１６
【特許文献３】実開平０６−０５５２０７
【発明の概要】
【発明が解決しようとする課題】
【０００４】
特許文献１には箸をバネと磁石のついた土台に仮固定させる事が記載されているが箸を垂直面、又は机の天板裏に仮固定する物では無い。特許文献２に記載の箸自体に鉄を埋め込み、壁面に磁石を設けた箸吸着具は市販の箸を流用する事ができない。特許文献３に記載された箸の仮固定の為に磁石の付いたキャップ（片面が閉じられている形状を意味する）では箸を吊るす事しか出来ない。  
【課題を解決するための手段】
【０００５】
本発明は垂直面、又は天板の裏面に市販の箸を仮固定する事ができる箸ホルダーを提供する事を目的とする。本発明は管状体内部に形成された貫通孔に箸を挿入保持することができ、表面の磁性体により磁気の力で仮固定できる箸ホルダーを提供する。更に箸ホルダーの貫通孔を、市販の箸がテーパー形状なのに合わせてテーパー形状とし、貫通孔入口が大きく出口が少し小さい箸ホルダーを提供する。更に本発明は管状体の一面に、窪みによる箸置き部又は管状体の側面に指かけ用の窪み部が形成されている箸ホルダーを提供する。又本発明は上記箸ホルダーの磁性体を仮固定する為に、別体に設けられた磁石を箸ホルダー保持具として提供する。更に、本発明は上記箸ホルダーの磁性体が磁石である時、仮固定する為に別体に設けられた磁性体を箸ホルダー保持具として提供する。 
【発明の効果】
【０００６】
箸を使いたい時に、仮固定してある箸ホルダー（箸挿入済み）を取り、そこから箸を抜き、ホルダーを箸先に対し横向きにすると箸置きとなる。こうした利便性に加えホルダーが箸置きに変わるというガジェット的な面白さが楽しめる。箸置きとしてもすぐれた安定性を持っているうえ水洗いをする事を想定した作りになっている。貫通孔をテーパー形状にすると、通常テーパー状を有する箸を挿入するとガタツキもなく箸が保持される。本発明の箸ホルダー保持具を用いると、箸がいらない時は机上ではない所へ隠せるマジック的な楽しみもある。又、近くに磁性体がない場合でも本発明の保持具により多くの場所に箸を仮固定する事が可能となっている。 
【図面の簡単な説明】
【０００７】
【図１】本発明の実施例の箸ホルダーの平面図である
【図２】同箸ホルダーの底面図である
【図３】同箸ホルダーの正面図である
【図４】同箸ホルダーの背面図である
【図５】同箸ホルダーの斜視図である
【図６】図１のＡ−Ａ断面図である
【図７】図１~６に示す箸ホルダーに市販の箸を挿入した状態の平面図である
【図８】同箸ホルダーに市販の箸を箸置き部に置いた図である
【図９】同箸ホルダーの机まわりでの使い方を示す図である
【図１０】図９の状態において机の下から天板を見上げた状態を示す図である
【発明を実施するための形態】
【０００８】
図１〜６にて箸ホルダー本体を説明し、図７〜１０は市販の箸を保持した例を説明する。
この箸ホルダー１は管状体構造を有し側面に指かけ用の窪み部２が形成され、上面に窪み状の箸置き部３が形成されている。４はステンレスよりなる磁性体で下面に四個埋め込まれている。ホルダー１には、貫通孔５が形成され、ここに箸６が挿入され、たとえば図９に示すように保持される。この貫通孔５は図３に示すように箸の挿入部が５a広く、図４に示すように箸の出口部５ｂが狭くなるテーパー状の構造であり、開孔部５cを有している。この形状により、箸がホルダー１に強固にガタツキなく保持される。市販の机８の天板裏に箸ホルダー１を仮固定するためには、前もって箸ホルダー保持具の一部７を貼り付けておく。
【０００９】
賃貸に住む大学生や自宅の一室に引きこもっている方には、本発明のホルダーが望ましい。ワンフロアに小型冷蔵庫が在る場合には、箸ホルダーの磁性体を磁石とし、小型冷蔵庫全体を仮固定する為の鉄（磁性体）として利用する。このように、冷蔵庫のどこにでも箸を挿入したホルダー１をくっつけて置いておけるので、食事の際に探さなくてもいつも食料の側にある。
【００１０】
箸ホルダー１の素材は、若者及び女性対象品は透明プラスチック製、高齢者対象品は落ち着いた感じのある木製が望ましい。PC（パーソナルコンピュータ）９が生活の一部となっている方へはゴム製が望ましい。なぜならば、食事用小物なので洗って繰り返し使って欲しいからである。ゴム製はある程度曲げられるので洗いやすい。図２の開孔部５ｃは水通しを良くする働きを持ち。5a、5b、5c の部分が曲線状に加工されているため角に洗い残しのゴミが詰まらない構造になっている。一般的な箸置きは陶器製なので、箸ホルダー１にグレー色の硬質ゴムを用いると新しさを表現できる。外国人向けには図１に示すホルダー１の表面に”忍”（図示せず）という文字をくり抜く。上記ホルダー１の色をグレーにすると、市販の黒い箸を挿入した時”忍”の文字が黒く透けて見え美しさを際立たせる事ができる。”忍”とは忍者ごとく張り付き使用者を陰から支えるという意味で、今までこんな商品を見たことがない人達にインパクトを与え覚えてもらう事に役立つ。この時キャッチコピーは「PCライフの必需品！！忍者チョップスティックホルダー」とする事が望ましい。女性向けの商品は色やコンセプト、アプローチを大きく変える必要があり女性の意見を多く取り入れることが望ましい。                                                                
【００１１】
図９〜１０の箸保持具の一部７は磁石板と磁石シートの二種類が主力と考えられる。磁石板の場合は小さいので送料が安くすむ。又机８を上から見た状態でも箸ホルダー保持具の一部７は厚みがあるため、手探りで箸ホルダー１のセット位置がわかるメリットがある。                                                                  
箸ホル ダ ー の一部７が磁石シートの場合は、フラットなため箸ホルダー１をセットする位置が、机８を上から見た状態からでは分かりにくいが、広いサイズのシートを用いれば問題は解決できる。箸ホルダの一部７として磁石シートを用いる最大のメリットはシート故に凸凹が少なく美しいことである。図７の５aが5bより少し大きいのは、箸のテーパー形状に合わせたものである、但し量産時に同じ大きさにしないとコストがとても高くつくような場合はテーパー形状でなくても良い。市販の箸の大きさを考慮すると、箸ホルダーの実寸は図５、A＝２ｃｍ、Ｂ＝３．５ｃｍ、Ｃ＝１ｃｍが望ましい。図２の磁性体４はステンレスの釘かネジで作る。それは入手のしやすさ、加工のしやすさ、軽さ、衛生、錆びにくい、磁気を持っていないからである。ＰＣ９やスマートホンの近くで使うものなので、出来れば磁性体４は鉄が望ましい。
【００１２】
孤食やながら食べが多く、子供でもスマートフォンや携帯ゲーム機を各自持つ現代において、ポテトチップスやカップ麺の飲食に手を汚さない箸は便利だが、箸を自室に用意している人は少ない。なぜなら、箸はばらけ易く雰囲気を壊すし。パソコンラックや資料溢れる机８上では邪魔になる。折り畳み式のちゃぶ台や最近の机には引き出しが付いていない物が多いのも、箸を自室に置きにくくしている。故にわざわざ箸をキッチンにまで取りに行かなければならなかった。しかも、ポテトチップスの一袋の量は多く、時には半分食べて輪ゴム等で縛り、また後で食べる場合も多い。キッチンでスマホや携帯ゲーム機を使えばと思う方もいるかもしれないが、感動作品や恋愛作品やアダルトを含む作品をキッチンで見ることは出来かねる。その結果、人と離れて視聴する癖が付き、普通の作品も一人で視聴することとなる。ここで小腹が空くとめんどくさい事に今まではなっていた。本発明を用いることにより、それらを解消する事ができる。
【００１３】
３Dプリンターを所有している職場の人や個人（造形作家やプラモデル、ジオラマ作成が趣味の人）へ向けた、箸ホルダー１のデータ販売も考えられる。ホームページで商品の魅力を説き、代金をカードで支払って頂ければ、箸ホルダーの本体１のデータをPCもしくはスマートフォンへ送り、メール便にてステンレスのネジ図２の４と磁石７を購入者指定の住所へ届ける。購入者は箸ホルダー１のデータを３Dプリンターへ送り作成させ。自前のドライバーでネジ４を締め（箸ホルダーデータには既にネジ穴を開けてある）、図９の机８の天板裏に磁石を貼ればそれで完成し使う事ができる。職場に３Dプリンターがある人や個人で所有している人は買いに行かずとも箸ホルダー１を安く（３Dプリンター用樹脂の残りを使って貰うことで）すぐ楽しんで頂ける。他の食事用小物は（現時点の３Dプリンターの樹脂は熱に弱いので）不可能だが、この箸ホルダー１は直接料理に触れないので問題なく使える。この販売法のネックは送料の高さだが、それもまとめ買いすればするほどお得な料金設定にすれば乗り切れる。職場仲間や友達に３Dプリンターの試運転や自慢がてらにあげていただきたい。この販売方法は世界展開する時も、販売店とのコネを持たない僕にとっては有利に作用するだろう。更に現実的に日本ではメルカリを使う（なぜなら一度でもこのアプリを使うとカードと住所が登録され次からは入力不要、しかもSNSと連携すれば商品の動画や写真や細かな注意事項も伝えることができる）、最後に少し有名なユウチューバーにCMをさせ「メルカリにて販売中！忍び  ホルダー  と検索してね！！」と宣伝すれば、気になった人がメルカリアプリを開き、タップ数回で購入可能、次の日には指定住所の郵便受けに商品が入っている。このように販売を拡大していけるだろう。
【符号の説明】
【００１４】
１ 箸ホルダー本体
２  掴み用窪み
３  箸置き用窪み
４  箸ホルダー本体の磁性体部
５  空洞部  
６  市販の箸
７  箸ホルダー保持具の一部（磁性体）
８  机
９  パーソナルコンピューター
【要約】
【課題】箸の保持としては、調理現場で使う事を想定した物が多く、ゆえに箸を汚さない（調理台等に置かなくする）ために吊るすだけであったり、磁石付きの特殊な箸を用いるものであった。  
【解決手段】管状体に箸を挿入保持する貫通孔が形成され、前記管状体の表面に磁性体を備えた事を特徴とする箸ホルダーを提供する。本発明品のホルダーを用いると、前もって机の天板裏等に箸を仮固定しておけるので、手が汚れる食べ物を食べる時にはホルダーから箸を取り出し使う事ができる。又、箸ホルダーを仮固定するための磁性体又は磁石を設けておく事により、箸ホルダーを仮固定する箸ホルダー保持具を提供する。
【選択図】図１０【図１】
0006983295.tif 000002
【図２】
0006983295.tif 000003
【図３】
0006983295.tif 000004
【図４】
0006983295.tif 000005
【図５】
0006983295.tif 000006
【図６】
0006983295.tif 000007
【図７】
0006983295.tif 000008
【図８】
0006983295.tif 000009
【図９】
0006983295.tif 000010
【図１０】
0006983295.tif 000011